(57)【要約】【課題】ユーザに関心のある画像を確実に注視させることができる画像表示装置、画像表示方法および画像表示プログラムを提供する。【解決手段】画像表示装置では、ディスプレイに表示させる対象画像が決定されると（Ｓ３）、ディスプレイを目視可能な範囲内に存在する人物である閲覧者が検出される（Ｓ５）。対象画像に閲覧者の顔特徴が含まれている場合、閲覧時間が長くなるように設定される（Ｓ７）。ディスプレイに対象画像が切替表示されると（Ｓ９）、閲覧者の視線が検出される（Ｓ１７）。対象画像が注視されている場合（Ｓ１９：ＹＥＳ）、閲覧者の注視時間が算出される（Ｓ２５）。注視時間が閲覧時間以上である場合（Ｓ２７：ＹＥＳ）、ディスプレイに次の表示画像が切替表示される（Ｓ９）。【選択図】図３
2011159000.tif 000002
【特許請求の範囲】
【請求項１】
記憶媒体に記憶されている複数の画像データに基づいて、表示部に表示される前記画像データを所定時間毎に切り替える画像表示装置であって、
前記記憶媒体に記憶されている前記複数の画像データのうち、前記表示部に表示されている前記画像データとは異なる前記画像データを選択する画像選択手段と、
前記表示部で表示されている前記画像データが他の前記画像データに切り替えられるまでの時間の長さを示す閲覧時間を記憶する閲覧時間記憶手段と、
前記画像選択手段によって前記画像データが選択されたのち、前記表示部を目視可能な範囲内に存在する人物を特定する人物特定手段と、
前記人物特定手段によって前記人物が特定された場合、前記画像選択手段によって選択された前記画像データに、前記人物を示す特徴画像が含まれているか否かを判断する画像判断手段と、
前記画像判断手段によって前記画像データに前記特徴画像が含まれていると判断された場合、前記閲覧時間記憶手段に記憶されている前記閲覧時間をより長くなるように変更する第１閲覧時間変更手段と、
前記表示部に表示されている前記画像データに替えて、前記画像選択手段によって選択された前記画像データを表示する切替表示手段と、
前記切替表示手段によって前記画像データの切替表示が行われたのち、前記特徴画像に対応する人物が前記表示部を注視していることを検出する注視検出手段と、
前記注視検出手段によって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断手段とを備え、
前記切替表示手段は、前記継続時間判断手段によって前記継続時間が前記閲覧時間以上であると判断された場合に、前記画像データの切替表示を行うことを特徴とする画像表示装置。
【請求項２】
前記画像判断手段は、前記人物特定手段によって複数の前記人物が特定された場合、前記画像データに複数の前記特徴画像の各々が含まれているか否かを判断し、
前記第１閲覧時間変更手段は、前記画像判断手段によって前記画像データに複数の前記特徴画像が含まれていると判断された場合、前記画像データに含まれる前記特徴画像の数量に応じて前記閲覧時間をより長くなるように変更することを特徴とする請求項１に記載の画像表示装置。
【請求項３】
前記人物特定手段によって前記人物が特定された場合、前記特徴画像に対応する人物から前記表示部までの距離を測定する距離測定手段と、
前記距離測定手段によって測定された前記距離に応じて、前記閲覧時間記憶手段に記憶されている前記閲覧時間を変更する第２閲覧時間変更手段と
を備えたことを特徴とする請求項１または２に記載の画像表示装置。
【請求項４】
前記画像データが閲覧された時間および回数の少なくとも一方が、前記画像データごとに関連付けられた閲覧実績情報を記憶する閲覧実績記憶手段と、
前記画像選択手段によって選択された前記画像データに対応する前記閲覧実績情報に応じて、前記閲覧時間記憶手段に記憶されている前記閲覧時間を変更する第３閲覧時間変更手段と
を備えたことを特徴とする請求項１から３のいずれかに記載の画像表示装置。
【請求項５】
前記表示部を目視可能な範囲を撮影する撮影手段を備え、
前記人物特定手段は、前記撮影手段によって撮影された画像に基づいて、前記人物を特定し、
前記注視判断手段は、前記撮影手段によって撮影された画像に基づいて、前記表示部が注視されていることを検出することを特徴とする請求項１から４のいずれかに記載の画像表示装置。
【請求項６】
記憶媒体に記憶されている複数の画像データに基づいて、表示部に表示される前記画像データを所定時間毎に切り替える画像表示装置において、前記画像データの切替表示を行うための画像表示方法であって、
前記記憶媒体に記憶されている前記複数の画像データのうち、前記表示部に表示されている前記画像データとは異なる前記画像データを選択する画像選択ステップと、
前記画像選択ステップによって前記画像データが選択されたのち、前記表示部を目視可能な範囲内に存在する人物を特定する人物特定ステップと、
前記人物特定ステップによって前記人物が特定された場合、前記画像選択ステップによって選択された前記画像データに、前記人物を示す特徴画像が含まれているか否かを判断する画像判断ステップと、
前記画像判断ステップによって前記画像データに前記特徴画像が含まれていると判断された場合、前記表示部で表示されている前記画像データが他の前記画像データに切り替えられるまでの時間の長さを示す閲覧時間を記憶する閲覧時間記憶手段において、前記閲覧時間をより長くなるように変更する閲覧時間変更ステップと、
前記表示部に表示されている前記画像データに替えて、前記画像選択ステップによって選択された前記画像データを表示する切替表示ステップと、
前記切替表示ステップによって前記画像データの切替表示が行われたのち、前記特徴画像に対応する人物が前記表示部を注視していることを検出する注視検出ステップと、
前記注視検出ステップによって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断ステップとを備え、
前記切替表示ステップは、前記継続時間判断ステップによって前記継続時間が前記閲覧時間以上であると判断された場合に、前記画像データの切替表示を行うことを特徴とする画像表示方法。
【請求項７】
記憶媒体に記憶されている複数の画像データに基づいて、表示部に表示される前記画像データを所定時間毎に切り替える画像表示装置に用いられ、前記画像データの切替表示を行うための画像表示プログラムであって、コンピュータを、
前記記憶媒体に記憶されている前記複数の画像データのうち、前記表示部に表示されている前記画像データとは異なる前記画像データを選択する画像選択手段、
前記画像選択手段によって前記画像データが選択されたのち、前記表示部を目視可能な範囲内に存在する人物を特定する人物特定手段、
前記人物特定手段によって前記人物が特定された場合、前記画像選択手段によって選択された前記画像データに、前記人物を示す特徴画像が含まれているか否かを判断する画像判断手段、
前記画像判断手段によって前記画像データに前記特徴画像が含まれていると判断された場合、前記表示部で表示されている前記画像データが他の前記画像データに切り替えられるまでの時間の長さを示す閲覧時間を記憶する閲覧時間記憶手段において、前記閲覧時間をより長くなるように変更する閲覧時間変更手段、
前記表示部に表示されている前記画像データに替えて、前記画像選択手段によって選択された前記画像データを表示する切替表示手段、
前記切替表示手段によって前記画像データの切替表示が行われたのち、前記特徴画像に対応する人物が前記表示部を注視していることを検出する注視検出手段、
前記注視検出手段によって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断手段として機能させ、
前記切替表示手段は、前記継続時間判断手段によって前記継続時間が前記閲覧時間以上であると判断された場合に、前記画像データの切替表示を行うことを特徴とする画像表示プログラム。
【発明の詳細な説明】
【技術分野】
【０００１】
本発明は、表示画像を所定時間毎に切り替える画像表示装置、画像表示方法および画像表示プログラムに関する。
【背景技術】
【０００２】
従来、表示部に表示される画像を所定時間毎に切り替える画像表示装置（所謂、デジタルフォトフレーム）が知られている。このような画像表示装置では、ユーザは表示画像に興味がない場合でも所定時間は見続ける必要があり、不快に感じることがあった。そこで、カメラで撮影した人物が登録済みのユーザである場合に、そのユーザに関連付けて登録されているお気に入りの画像を再生する再生装置が提案されている（例えば、特許文献１参照）。
【先行技術文献】
【特許文献】
【０００３】
【特許文献１】特開２００９−１７１１７６号公報
【発明の概要】
【発明が解決しようとする課題】
【０００４】
特許文献１に記載の再生装置では、複数のユーザによって共用される場合でも、面倒な操作を伴うことなくユーザ毎にお気に入りの画像を自動再生することができる。しかしながら、カメラで撮影されたユーザに対応する画像が表示されているときに、そのユーザが表示部を注視していないことがある。この場合、ユーザは、表示部に表示されたお気に入りの画像を見逃すおそれがあった。
【０００５】
本発明は、上記課題を解決するためになされたものであり、ユーザに関心のある画像を確実に注視させることができる画像表示装置、画像表示方法および画像表示プログラムを提供することを目的とする。
【課題を解決するための手段】
【０００６】
本発明の第１態様に係る画像表示装置は、記憶媒体に記憶されている複数の画像データに基づいて、表示部に表示される前記画像データを所定時間毎に切り替える画像表示装置であって、前記記憶媒体に記憶されている前記複数の画像データのうち、前記表示部に表示されている前記画像データとは異なる前記画像データを選択する画像選択手段と、前記表示部で表示されている前記画像データが他の前記画像データに切り替えられるまでの時間の長さを示す閲覧時間を記憶する閲覧時間記憶手段と、前記画像選択手段によって前記画像データが選択されたのち、前記表示部を目視可能な範囲内に存在する人物を特定する人物特定手段と、前記人物特定手段によって前記人物が特定された場合、前記画像選択手段によって選択された前記画像データに、前記人物を示す特徴画像が含まれているか否かを判断する画像判断手段と、前記画像判断手段によって前記画像データに前記特徴画像が含まれていると判断された場合、前記閲覧時間記憶手段に記憶されている前記閲覧時間をより長くなるように変更する第１閲覧時間変更手段と、前記表示部に表示されている前記画像データに替えて、前記画像選択手段によって選択された前記画像データを表示する切替表示手段と、前記切替表示手段によって前記画像データの切替表示が行われたのち、前記特徴画像に対応する人物が前記表示部を注視していることを検出する注視検出手段と、前記注視検出手段によって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断手段とを備え、前記切替表示手段は、前記継続時間判断手段によって前記継続時間が前記閲覧時間以上であると判断された場合に、前記画像データの切替表示を行うことを特徴とする。
【０００７】
第１態様によれば、表示部を目視可能な範囲内に存在する人物を示す特徴画像が、表示部に表示される画像データに含まれている場合、閲覧時間が長くなるように変更される。表示部が注視されている状態の継続時間が閲覧時間以上になると、画像データの切替表示が行われる。つまり、表示部に表示される画像データで映し出される人物は、その画像データを長時間に亘って注視することができる。したがって、ユーザは自分の撮影された画像を見逃すことが抑制されるため、ユーザに関心のある画像を確実に注視させることができる。
【０００８】
第１態様において、前記画像判断手段は、前記人物特定手段によって複数の前記人物が特定された場合、前記画像データに複数の前記特徴画像の各々が含まれているか否かを判断し、前記第１閲覧時間変更手段は、前記画像判断手段によって前記画像データに複数の前記特徴画像が含まれていると判断された場合、前記画像データに含まれる前記特徴画像の数量に応じて前記閲覧時間をより長くなるように変更してもよい。これによれば、複数のユーザが自分の撮影された画像を見逃すことが抑制されるため、ユーザに関心のある画像を確実に注視させることができる。
【０００９】
第１態様において、前記人物特定手段によって前記人物が特定された場合、前記特徴画像に対応する人物から前記表示部までの距離を測定する距離測定手段と、前記距離測定手段によって測定された前記距離に応じて、前記閲覧時間記憶手段に記憶されている前記閲覧時間を変更する第２閲覧時間変更手段とを備えてもよい。これによれば、表示部を目視可能な人物までの距離に応じて、閲覧時間を最適な長さに変更することができる。
【００１０】
第１態様において、前記画像データが閲覧された時間および回数の少なくとも一方が、前記画像データごとに関連付けられた閲覧実績情報を記憶する閲覧実績記憶手段と、前記画像選択手段によって選択された前記画像データに対応する前記閲覧実績情報に応じて、前記閲覧時間記憶手段に記憶されている前記閲覧時間を変更する第３閲覧時間変更手段とを備えてもよい。これによれば、表示部に表示される画像データの閲覧実績に応じて、閲覧時間を最適な長さに変更することができる。
【００１１】
第１態様において、前記表示部を目視可能な範囲を撮影する撮影手段を備え、前記人物特定手段は、前記撮影手段によって撮影された画像に基づいて、前記人物を特定し、前記注視判断手段は、前記撮影手段によって撮影された画像に基づいて、前記表示部が注視されていることを検出してもよい。これによれば、共通の撮影手段を用いて撮影された画像に基づいて、人物特定および注視検出の両方を行うことができる。
【００１２】
本発明の第２態様に係る画像表示方法は、記憶媒体に記憶されている複数の画像データに基づいて、表示部に表示される前記画像データを所定時間毎に切り替える画像表示装置において、前記画像データの切替表示を行うための画像表示方法であって、前記記憶媒体に記憶されている前記複数の画像データのうち、前記表示部に表示されている前記画像データとは異なる前記画像データを選択する画像選択ステップと、前記画像選択ステップによって前記画像データが選択されたのち、前記表示部を目視可能な範囲内に存在する人物を特定する人物特定ステップと、前記人物特定ステップによって前記人物が特定された場合、前記画像選択ステップによって選択された前記画像データに、前記人物を示す特徴画像が含まれているか否かを判断する画像判断ステップと、前記画像判断ステップによって前記画像データに前記特徴画像が含まれていると判断された場合、前記表示部で表示されている前記画像データが他の前記画像データに切り替えられるまでの時間の長さを示す閲覧時間を記憶する閲覧時間記憶手段において、前記閲覧時間をより長くなるように変更する閲覧時間変更ステップと、前記表示部に表示されている前記画像データに替えて、前記画像選択ステップによって選択された前記画像データを表示する切替表示ステップと、前記切替表示ステップによって前記画像データの切替表示が行われたのち、前記特徴画像に対応する人物が前記表示部を注視していることを検出する注視検出ステップと、前記注視検出ステップによって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断ステップとを備え、前記切替表示ステップは、前記継続時間判断ステップによって前記継続時間が前記閲覧時間以上であると判断された場合に、前記画像データの切替表示を行うことを特徴とする。
【００１３】
第２態様によれば、表示部を目視可能な範囲内に存在する人物を示す特徴画像が、表示部に表示される画像データに含まれている場合、閲覧時間が長くなるように変更される。表示部が注視されている状態の継続時間が閲覧時間以上になると、画像データの切替表示が行われる。つまり、表示部に表示される画像データで映し出される人物は、その画像データを長時間に亘って注視することができる。したがって、ユーザは自分の撮影された画像を見逃すことが抑制されるため、ユーザに関心のある画像を確実に注視させることができる。
【００１４】
本発明の第３態様に係る画像表示プログラムは、記憶媒体に記憶されている複数の画像データに基づいて、表示部に表示される前記画像データを所定時間毎に切り替える画像表示装置に用いられ、前記画像データの切替表示を行うための画像表示プログラムであって、コンピュータを、前記記憶媒体に記憶されている前記複数の画像データのうち、前記表示部に表示されている前記画像データとは異なる前記画像データを選択する画像選択手段、前記画像選択手段によって前記画像データが選択されたのち、前記表示部を目視可能な範囲内に存在する人物を特定する人物特定手段、前記人物特定手段によって前記人物が特定された場合、前記画像選択手段によって選択された前記画像データに、前記人物を示す特徴画像が含まれているか否かを判断する画像判断手段、前記画像判断手段によって前記画像データに前記特徴画像が含まれていると判断された場合、前記表示部で表示されている前記画像データが他の前記画像データに切り替えられるまでの時間の長さを示す閲覧時間を記憶する閲覧時間記憶手段において、前記閲覧時間をより長くなるように変更する閲覧時間変更手段、前記表示部に表示されている前記画像データに替えて、前記画像選択手段によって選択された前記画像データを表示する切替表示手段、前記切替表示手段によって前記画像データの切替表示が行われたのち、前記特徴画像に対応する人物が前記表示部を注視していることを検出する注視検出手段、前記注視検出手段によって前記表示部が注視されていることが検出された場合、前記表示部に対する注視状態が継続している時間の長さである継続時間が、前記閲覧時間記憶手段が記憶する前記閲覧時間以上であるか否かを判断する継続時間判断手段として機能させ、前記切替表示手段は、前記継続時間判断手段によって前記継続時間が前記閲覧時間以上であると判断された場合に、前記画像データの切替表示を行うことを特徴とする。
【００１５】
第３態様によれば、表示部を目視可能な範囲内に存在する人物を示す特徴画像が、表示部に表示される画像データに含まれている場合、閲覧時間が長くなるように変更される。表示部が注視されている状態の継続時間が閲覧時間以上になると、画像データの切替表示が行われる。つまり、表示部に表示される画像データで映し出される人物は、その画像データを長時間に亘って注視することができる。したがって、ユーザは自分の撮影された画像を見逃すことが抑制されるため、ユーザに関心のある画像を確実に注視させることができる。
【図面の簡単な説明】
【００１６】
【図１】画像表示装置１の使用例を示す全体図である。
【図２】画像表示装置１の電気的構成を示すブロック図である。
【図３】画像表示装置１のメイン処理を示すフローチャートである。
【図４】閲覧者検出処理を示すフローチャートである。
【図５】第１実施形態における閲覧時間計算処理を示すフローチャートである。
【図６】画像表示装置１の使用例を示す他の全体図である。
【図７】第２実施形態における閲覧時間計算処理を示すフローチャートである。
【図８】閲覧実績データ３００のデータ構成を示す図である。
【図９】第３実施形態における閲覧時間計算処理を示すフローチャートである。
【発明を実施するための形態】
【００１７】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００１８】
本発明の第１実施形態に係る画像表示装置１について、図１〜図６を参照して説明する。以下では、画像表示装置１として、複数の画像を所定時間毎に切り替えて順次表示する据置型表示機器（所謂、スライドショーを実行するデジタルフォトフレーム）を例示して説明する。
【００１９】
図１を参照して、画像表示装置１の物理的構成について説明する。図１に示すように、画像表示装置１は、左右方向を長手方向とする正面視略長方形を有しており、略中央にディスプレイ１１を備えている。ディスプレイ１１の前面には、タッチパネル１２（図２参照）が設けられている。ユーザは、ディスプレイ１１に表示される情報を視認しながら、タッチパネル１２に触れることによって、画像表示装置１に指示を入力することができる。
【００２０】
画像表示装置１は、その近傍を撮影可能なカメラ１３を備えている。本実施形態のカメラ１３は、ディスプレイ１１に隣接して設けられており、ディスプレイ１１の前方における所定範囲を撮影可能なデジタルカメラである。つまり、ディスプレイ１１の表示画像を閲覧しているユーザは、カメラ１３によって撮影される。図示しないが、画像表示装置１の側面には、メモリカード２６（図２参照）を挿入するためのカードスロットや、ＵＳＢケーブルを接続するためのＵＳＢポートなどが設けられている。
【００２１】
図２を参照して、画像表示装置１の電気的構成について説明する。図２に示すように、画像表示装置１は、ＣＰＵ２１、ＲＯＭ２２、ＲＡＭ２３、およびフラッシュメモリ２４を備えている。ＣＰＵ２１は、画像表示装置１の各種制御処理を司る。ＲＯＭ２２は、画像表示装置１を動作させる制御プログラムや、画像表示装置１の動作に関わる設定情報を記憶する。ＲＡＭ２３は、各種データを一時的に記憶する揮発性メモリである。フラッシュメモリ２４は、各種データを記憶する不揮発性メモリである。
【００２２】
画像表示装置１は、表示ドライバ２９、タッチパネルドライバ３０、およびカメラドライバ３１を備える。表示ドライバ２９は、ディスプレイ１１の駆動制御を司る。タッチパネルドライバ３０は、タッチパネル１２の駆動制御を司る。カメラドライバ３１は、カメラ１３の駆動制御を司る。ＣＰＵ２１は、表示ドライバ２９を介して、ディスプレイ１１に画像を表示する。ＣＰＵ２１は、タッチパネルドライバ３０を介して、タッチパネル１２を介して入力された指示を認識する。ＣＰＵ２１は、カメラドライバ３１を介して、カメラ１３によって撮影された撮影画像を取得する。
【００２３】
画像表示装置１は、メモリカードインタフェース（Ｉ／Ｆ）２５およびタイマ３３を備えている。ＣＰＵ２１は、メモリカードＩ／Ｆ２５を介して、カードスロット（図示外）に挿入されたメモリカード２６の記憶領域にアクセスして、メモリカード２６に対するデータの読出・書込を行う。ＣＰＵ２１は、タイマ３３を利用して、日時情報をディスプレイ１１に表示したり、時間を測定したりする。図示しないが、画像表示装置１は、上述のＣＰＵ２１や各種デバイスに電力を供給する電池を備えている。
【００２４】
メモリカード２６は、ディスプレイ１１に表示される複数の画像データが記憶している。本実施形態では、複数の画像データが格納された画像ファイルが、メモリカード２６に記憶されている。ＣＰＵ２１は、メモリカード２６から画像ファイルを読み出すと、この画像ファイルに格納されている複数の画像データに基づいて後述のスライドショーを実行する。なお、画像表示装置１では、フラッシュメモリ２４、ハードディスク（図示外）、ＵＳＢメモリ（図示外）などに画像ファイルが記憶されている場合、この画像ファイルが読み出されてスライドショーが実行されてもよい。また、画像表示装置１がネットワークを介して他の端末と接続可能である場合、他の端末から取得された画像ファイルに基づいてスライドショーが実行されてもよい。
【００２５】
図３〜図５を参照して、画像表示装置１にて実行される各種処理について説明する。まず、図３を参照して、画像表示装置１にて実行されるメイン処理について説明する。図３に示すメイン処理は、例えばユーザがタッチパネル１２でスライドショーの開始を指示すると、ＲＯＭ２２に記憶されている制御プログラムに基づいて、ＣＰＵ２１によって実行される。
【００２６】
図３に示すように、画像表示装置１のメイン処理では、まずスライドショーリストが設定される（Ｓ１）。スライドショーリストは、スライドショーで表示される複数の画像データが登録されたリストである。具体的には、ユーザがタッチパネル１２を操作して、メモリカード２６に記憶されている画像ファイルのうちで、スライドショーの対象にする画像ファイルを選択する。ＣＰＵ２１は、選択された画像ファイルをメモリカード２６から読み出して、その画像ファイルに含まれる複数の画像データをスライドショーリストに設定する。設定済みのスライドショーリストは、フラッシュメモリ２４に保存される。
【００２７】
ステップＳ１の実行後、対象画像が決定される（Ｓ３）。Ｓ３で決定される対象画像は、ディスプレイ１１で表示中の画像に次いで表示される画像データである。ステップＳ３の実行時に、フラッシュメモリ２４に後述の顔特徴が記憶されている場合、記憶済みの顔特徴は消去される。
【００２８】
本実施形態のスライドショーでは、スライドショーリストに登録されている順に、複数の画像データがディスプレイ１１に順次表示される。ステップＳ３では、スライドショーリストに登録されている未表示の画像データのうちで、リスト先頭側に登録されている画像データが、対象画像として決定される。なお、メイン処理（図３）における最初のステップＳ３では、まだディスプレイ１１でスライドショーが開始されていないため、スライドショーリストの先頭に登録された画像データが対象画像として決定される。
【００２９】
ステップＳ３の実行後、ディスプレイ１１を目視可能な位置に存在する人間（以下、閲覧者）を検出する閲覧者検出処理が実行される（Ｓ５）。以下、図４を参照して、閲覧者検出処理（Ｓ５）の詳細について説明する。
【００３０】
図４に示すように、閲覧者検出処理（Ｓ５）では、まずカメラ１３で撮影されている撮影画像が取得および解析される（Ｓ５１）。ステップＳ５１では、撮影画像に人物固有の顔特徴が含まれている場合、公知の顔認識処理によって撮影画像から顔特徴が抽出される。図１に示す例では、ディスプレイ１１の近傍前方に存在する「ユーザＡ」、「ユーザＢ」、「ユーザＣ」の顔特徴が抽出される。
【００３１】
ステップＳ５１の実行後、撮影画像から顔特徴が抽出されたか否かが判断される（Ｓ５３）。ステップＳ５１にて顔特徴が抽出された場合（Ｓ５３：ＹＥＳ）、抽出された顔特徴が記憶済みの顔特徴と一致するか否かが判断される（Ｓ５５）。具体的には、ステップＳ５１にて抽出された顔特徴が、フラッシュメモリ２４に記憶されている顔特徴と完全一致している場合に、抽出された顔特徴が記憶済みの顔特徴と一致すると判断される（Ｓ５５：ＹＥＳ）。
【００３２】
一方、ステップＳ５１にて抽出された顔特徴がフラッシュメモリ２４に記憶されていない場合、または、ステップＳ５１にて抽出された顔特徴とは異なる顔特徴がフラッシュメモリ２４に記憶されている場合、抽出された顔特徴が記憶済みの顔特徴と一致しないと判断される（Ｓ５５：ＮＯ）。なお、フラッシュメモリ２４に顔特徴が記憶されていない場合も、抽出された顔特徴が記憶済みの顔特徴と一致しないと判断される（Ｓ５５：ＮＯ）。
【００３３】
この場合、ステップＳ５１にて抽出された顔特徴が、閲覧者の顔特徴としてフラッシュメモリ２４に保存される（Ｓ５７）。ただし、ステップＳ５７では、フラッシュメモリ２４に顔特徴が既に記憶されている場合、フラッシュメモリ２４から記憶済みの顔特徴が消去されて、ステップＳ５１にて抽出された最新の顔特徴のみが保存される。
【００３４】
ステップＳ５７の実行後、フラッシュメモリ２４に記憶されている注視時間Ｔ２が、「０秒」にリセットされる（Ｓ５９）。注視時間Ｔ２は、閲覧者が対象画像を継続して注視している時間を示す。ステップＳ５９の実行後、閲覧者検出処理（Ｓ５）が終了されて、メイン処理（図３）に処理が戻る。ステップＳ５１にて顔特徴が抽出されなかった場合（Ｓ５３：ＮＯ）、または、抽出された顔特徴が記憶済みの顔特徴と一致した場合も（Ｓ５５：ＹＥＳ）、閲覧者検出処理（Ｓ５）が終了されて、メイン処理（図３）に処理が戻る。
【００３５】
メイン処理（図３）に戻り、ステップＳ５の実行後、閲覧時間Ｔ１を計算する閲覧時間計算処理が実行される（Ｓ７）。閲覧時間Ｔ１は、閲覧者に対象画像を継続して注視させるべき時間を示す。以下、図５を参照して、閲覧時間計算処理（Ｓ７）の詳細について説明する。
【００３６】
図５に示すように、閲覧時間計算処理（Ｓ７）では、まず予め定められた最小閲覧時間が、閲覧時間Ｔ１に設定される（Ｓ１０１）。最小閲覧時間は、閲覧者に対象画像を継続して注視させるべき最小時間であり、本実施形態では５秒である。ステップＳ１０１で設定された閲覧時間Ｔ１は、フラッシュメモリ２４に記憶される。
【００３７】
ステップＳ１０１の実行後、先述の閲覧者検出処理（Ｓ５）の検出結果に基づいて、閲覧者が存在するか否かが判断される（Ｓ１０３）。具体的には、ステップＳ５１にて顔特徴が抽出された場合には（Ｓ５３：ＹＥＳ）、閲覧者が存在すると判断されて（Ｓ１０３：ＹＥＳ）、フラッシュメモリ２４に保存されている閲覧者の顔特徴の一つが、ＲＡＭ２３に読み出される（Ｓ１０５）。
【００３８】
ステップＳ１０５の実行後、ステップＳ３で決定された対象画像が解析される（Ｓ１０７）。ステップＳ１０７の解析結果に基づいて、ステップＳ１０５で読み出された閲覧者の顔特徴が、対象画像に含まれているか否かが判断される（Ｓ１０９）。閲覧者の顔特徴が対象画像に含まれている場合（Ｓ１０９：ＹＥＳ）、フラッシュメモリ２４に記憶されている閲覧時間Ｔ１に、所定値（本実施形態では、３秒）が加算される（Ｓ１１１）。
【００３９】
ステップＳ１１１の実行後、または、閲覧者の顔特徴が対象画像に含まれていない場合（Ｓ１０９：ＮＯ）、フラッシュメモリ２４に保存されている全ての顔特徴を処理したか否かが判断される（Ｓ１１３）。フラッシュメモリ２４に未処理の顔特徴が存在する場合（Ｓ１１３：ＮＯ）、未処理の顔特徴が無くなるまで上述の処理（Ｓ１０５〜Ｓ１１３）が繰り返される。
【００４０】
例えば、対象画像が「ユーザＡ」、「ユーザＢ」を撮影した写真データである場合には、図１に示す閲覧者「ユーザＡ」、「ユーザＢ」、「ユーザＣ」のうち、「ユーザＡ」、「ユーザＢ」の顔特徴が対象画像に含まれている。そのため、上述の処理（Ｓ１０５〜Ｓ１１３）によって、フラッシュメモリ２４に記憶されている閲覧時間Ｔ１は、ステップＳ１０１で設定された最小閲覧時間（５秒）に２名分の所定値（２×３秒＝６秒）を加算した値（１１秒）に更新される。
【００４１】
閲覧者の顔特徴が含まれている対象画像は、閲覧者が撮影された画像データであるため、閲覧者が高い関心を持ちやすいと考えられる。本実施形態では、対象画像に閲覧者の顔特徴が含まれている場合には、閲覧時間Ｔ１をより長い時間に設定することで、閲覧者に対象画像をより長時間観賞させることができる。さらに、対象画像に含まれる閲覧者の人数に応じて、閲覧時間Ｔ１がより長い時間に設定される。これにより、対象画像に含まれる全ての閲覧者に対して、対象画像を確実に注視させることができる。
【００４２】
フラッシュメモリ２４に未処理の顔特徴が存在しない場合（Ｓ１１３：ＹＥＳ）、または、閲覧者が存在しない場合（Ｓ１０３：ＮＯ）、閲覧時間計算処理（Ｓ７）が終了されて、メイン処理（図３）に処理が戻る。
【００４３】
メイン処理（図３）に戻り、ステップＳ７の実行後、ディスプレイ１１の表示画像の切り替えが行われる（Ｓ９）。ステップＳ９では、ディスプレイ１１に表示中の画像に替えて、ステップＳ３で決定された対象画像が表示される。図１に示す例は、先述の「ユーザＡ」、「ユーザＢ」を撮影した写真データが、ディスプレイ１１に表示されたことを示している。なお、ステップＳ９にて表示画像の切り替えが行われると、タイマ３３によって表示画像の切り替えが行われた時点からの経過時間Ｔ３のカウントが開始される。
【００４４】
ステップＳ９の実行後、ステップＳ５と同様に、図４に示す閲覧者検出処理が実行される（Ｓ１１）。ステップＳ１１の検出結果に基づいて、閲覧者の変更ありか否かが判断される（Ｓ１３）。具体的には、閲覧者検出処理（Ｓ１１）において、抽出された顔特徴が記憶済みの顔特徴と一致しないと判断された場合に（Ｓ５５：ＮＯ）、閲覧者の変更ありと判断される（Ｓ１３：ＹＥＳ）。この場合、ステップＳ７と同様に、図５に示す閲覧時間計算処理が実行され（Ｓ１５）、閲覧時間Ｔ１が再設定される。閲覧者の変更に伴う閲覧時間Ｔ１の再設定については、別途後述する。
【００４５】
ステップＳ１５の実行後、または、閲覧者の変更がない場合（Ｓ１３：ＮＯ）、閲覧者の視線を検出する目線検出処理が実行される（Ｓ１７）。目線検出処理（Ｓ１７）では、カメラ１３で撮影された最新の撮影画像に基づいて、公知の目線検出処理によって閲覧者の視線が検出される。目線検出処理の一例としては、閲覧者の眼領域の抽出、眼領域に含まれる黒目部分のエッジ検出、黒目部分の円近似を順に実行することで、閲覧者ごとに視線が検出される。
【００４６】
ステップＳ１７で検出された閲覧者の視線に基づいて、ディスプレイ１１に表示されている画像が注視されているか否かが判断される（Ｓ１９）。言い換えると、ステップＳ１９では、全ての閲覧者が表示画像（つまり、ステップＳ３で決定された対象画像）を注視しているか否かが判断される。各閲覧者が対象画像を注視しているか否かは、各閲覧者の視線方向がディスプレイ１１に向かっているか否かによって判断されればよい。
【００４７】
閲覧者のうちで一人でも対象画像を注視していない場合は、閲覧者が対象画像を注視していないと判断される（Ｓ１９：ＮＯ）。この場合、先述のステップＳ５９と同様に、フラッシュメモリ２４に記憶されている注視時間Ｔ２が「０秒」にリセットされる（Ｓ２１）。ステップＳ２１の実行後、タイマ３３によってカウントされている経過時間Ｔ３が、所定時間（本実施形態では、１分）を経過したか否が判断される（Ｓ２３）。
【００４８】
経過時間Ｔ３が所定時間を経過していない場合（Ｓ２３：ＮＯ）、処理はステップＳ１１に戻る。一方、経過時間Ｔ３が所定時間を経過している場合は（Ｓ２３：ＹＥＳ）、対象画像が閲覧時間Ｔ１を継続して注視されないまま、対象画像が１分以上表示されたことを意味する。この場合、閲覧者がディスプレイ１１の表示画像に関心がないとみなすことができる。そのため、本実施形態では、スライドショーを中断させるためにメイン処理（図３）が終了される。
【００４９】
一方、全ての閲覧者が対象画像を注視していると判断された場合（Ｓ１９：ＹＥＳ）、注視時間Ｔ２を算出する注視時間算出処理が実行される（Ｓ２５）。具体的には、前回のステップＳ１９から起算した経過時間が、フラッシュメモリ２４に記憶されている注視時間Ｔ２に加算される。つまり、注視時間Ｔ２は、閲覧者が変更するか（Ｓ５５：ＮＯ、Ｓ５９）、または、閲覧者が対象画像を注視しなくなるまで（Ｓ１９：ＮＯ、Ｓ２１）、ステップＳ２５が実行される毎にカウントアップされる。
【００５０】
ステップＳ２５の実行後、閲覧者が対象画像を閲覧時間Ｔ１以上注視したか否かが判断される（Ｓ２７）。具体的には、フラッシュメモリ２４を参照して注視時間Ｔ２が閲覧時間Ｔ１以上であれば、閲覧者が対象画像を閲覧時間Ｔ１以上注視したと判断される（Ｓ２７：ＹＥＳ）。図１に示す例では、閲覧者「ユーザＡ」、「ユーザＢ」、「ユーザＣ」の全てが、ディスプレイ１１に表示されている写真データを、閲覧時間Ｔ１（１１秒）を継続して注視したことを意味する。
【００５１】
閲覧者が対象画像を閲覧時間Ｔ１以上注視していない場合（Ｓ２７：ＮＯ）、処理はステップＳ１１に戻る。一方、閲覧者が対象画像を閲覧時間Ｔ１以上注視している場合（Ｓ２７：ＮＯ）、スライドショーが終了であるか否かが判断される（Ｓ２９）。具体的には、フラッシュメモリ２４に記憶されているスライドショーリストを参照して、未表示の画像データが存在しているか否かが判断される。
【００５２】
スライドショーリストに未表示の画像データが存在する場合（Ｓ２９：ＮＯ）、ステップＳ３に戻り、先述のように未表示の画像データの一つが対象画像に決定されて、上述と同様の処理が実行される（Ｓ５〜Ｓ２９参照）。スライドショーリストに未表示の画像データが存在しない場合（Ｓ２９：ＹＥＳ）、スライドショーリストに登録されている全ての画像データについてスライドショーが行われたことを意味する。そのため、スライドショーを終了させるためにメイン処理（図３）が終了される。
【００５３】
ここで、閲覧者の変更に伴う閲覧時間Ｔ１の再設定（Ｓ１１〜Ｓ１５）について説明する。画像表示装置１では、ディスプレイ１１の表示画像が切り替えられる前に、時間の経過に伴って閲覧者が変化することがある。例えば、「ユーザＡ」、「ユーザＢ」を映した写真データが表示されている状態において、閲覧者「ユーザＡ」、「ユーザＢ」、「ユーザＣ」が存在する状態（図１参照）から、閲覧者「ユーザＣ」、「ユーザＤ」が存在する状態（図６参照）に変化するなどである。
【００５４】
本実施形態では、表示画像の切り替え（Ｓ９）が実行されたのち、対象画像が閲覧時間Ｔ１以上注視されていない場合（Ｓ２７：ＮＯ）、または、対象画像の切り替え時から１分以上経過していない場合（Ｓ２３：ＮＯ）、閲覧者検出処理（Ｓ１１）によって閲覧者が再検出される。つまり、ディスプレイ１１で表示された画像が切り替えられるまでの間、閲覧者が定期的に再検出される。
【００５５】
例えば、ディスプレイ１１の表示画像が切り替えられる前に、先述のように閲覧者が「ユーザＡ」、「ユーザＢ」、「ユーザＣ」から「ユーザＣ」、「ユーザＤ」に変化したと想定する。この場合、図４に示す閲覧者検出処理（Ｓ１１）では、最新の撮影画像が取得および解析されて、「ユーザＣ」、「ユーザＤ」の顔特徴が抽出される（Ｓ５１、Ｓ５３：ＹＥＳ）。フラッシュメモリ２４に記憶されている「ユーザＡ」、「ユーザＢ」、「ユーザＣ」の顔特徴は、ステップＳ５１で抽出された「ユーザＣ」、「ユーザＤ」の顔特徴と一致しない（Ｓ５５：ＮＯ）。そのため、フラッシュメモリ２４では、「ユーザＡ」、「ユーザＢ」、「ユーザＣ」の顔特徴が消去されて、「ユーザＣ」、「ユーザＤ」の顔特徴が保存される（Ｓ５７）。
【００５６】
閲覧者検出処理（Ｓ１１）の実行後、閲覧者の変更ありと判断されるため（Ｓ１３：ＮＯ）、閲覧時間計算処理が実行される（Ｓ１５）。図５に示す閲覧時間計算処理（Ｓ１５）では、フラッシュメモリ２４に記憶されている閲覧時間Ｔ１が、最小閲覧時間（５秒）に更新される（Ｓ１０１）。閲覧者ありと判断されて（Ｓ１０３：ＹＥＳ）、フラッシュメモリ２４から「ユーザＣ」、「ユーザＤ」の顔特徴が読み出され（Ｓ１０５）、対象画像が解析される（Ｓ１０７）。なお、閲覧時間計算処理（Ｓ１５）の実行時には、先述の閲覧時間計算処理（Ｓ７）の実行時とは異なり、対象画像はディスプレイ１１に表示されている。
【００５７】
ステップＳ１０７の解析結果に基づいて、「ユーザＣ」、「ユーザＤ」の顔特徴が対象画像に含まれているか否かが判断される（Ｓ１０９）。先述のように、対象画像には「ユーザＡ」、「ユーザＢ」を含む写真データであるため（図６参照）、閲覧者の顔特徴が対象画像に含まれていないと判断される（Ｓ１０９：ＹＥＳ）。したがって、フラッシュメモリ２４に記憶された閲覧時間Ｔ１は、ステップＳ１１１にて更新されることなく、閲覧者検出処理（Ｓ１１）が終了する。
【００５８】
以降の処理では、「ユーザＣ」、「ユーザＤ」の目線が検出されて（Ｓ１７）、対象画像が注視されているか否かが判断される（Ｓ１９）。「ユーザＣ」、「ユーザＤ」の注視時間Ｔ２が算出されて（Ｓ２５）、対象画像が閲覧時間Ｔ１（つまり、５秒）以上注視されたか否かが判断される（Ｓ２７）。このように、ディスプレイ１１の表示画像が切り替えられる前に閲覧者が変化した場合には、変化後の閲覧者に応じた最適な閲覧時間Ｔ１が再設定される。
【００５９】
以上説明したように、第１実施形態に係る画像表示装置１によれば、閲覧者の顔特徴が対象画像に含まれている場合、閲覧時間Ｔ１がより長くなるように変更される。ディスプレイ１１に対象画像が表示されている状態において、閲覧者の注視時間Ｔ２が閲覧時間Ｔ１以上になると、ディスプレイ１１の表示画像が切り替えられる。つまり、ディスプレイ１１に表示される対象画像で映し出されるユーザは、その対象画像を長時間に亘って注視することができる。したがって、ユーザは自分の撮影された画像を見逃すことが抑制されるため、ユーザに関心のある画像を確実に注視させることができる。
【００６０】
また、カメラ１３で撮影された撮影画像に基づいて、閲覧者検出処理（Ｓ５、Ｓ１１）および目線検出処理（Ｓ１７）が実行される。そのため、閲覧者を検出するための機器と、閲覧者の目線を検出するための機器とを、別々に設ける必要がなく、画像表示装置１の構成を簡素化できる。
【００６１】
本発明の第２実施形態に係る画像表示装置１について、図７を参照して説明する。第２実施形態に係る画像表示装置１は、第１実施形態に係る画像表示装置１（図２参照）と同様の構成である。第２実施形態に係るメイン処理は、第１実施形態に係るメイン処理（図３参照）と同様であるが、閲覧時間計算処理（Ｓ７、Ｓ１５）の詳細が異なる。以下では、第１実施形態と共通の構成および処理については、第１実施形態と同一の符号を付して説明を省略し、第１実施形態と異なる点のみを説明する。
【００６２】
図７に示すように、第２実施形態に係る閲覧時間計算処理（Ｓ７、Ｓ１５）では、第１実施形態と同様に、先述のステップＳ１０１〜Ｓ１１１と同様の処理が実行される。ステップＳ１１１の実行後、ディスプレイ１１から閲覧者までの距離を測定する距離測定処理が実行される（Ｓ２０１）。
【００６３】
距離測定処理（Ｓ２０１）では、カメラ１３で撮影された最新の撮影画像に基づいて、ステップＳ１０５で読み出された顔特徴に対応する閲覧者までの距離が、公知の画像処理によって測定される。先述のように、カメラ１３はディスプレイ１１に隣接して設けられているため、撮影画像に基づいて測定された閲覧者までの距離は、ディスプレイ１１から閲覧者までの距離とほぼ等しい。
【００６４】
ステップ２０１によって測定された距離が、所定距離（本実施形態では、１メートル）以下であるか否かが判断される（Ｓ２０３）。測定距離が所定距離以下である場合（Ｓ２０３：ＹＥＳ）、閲覧者はディスプレイ１１の近傍に位置していることを示す。この場合、フラッシュメモリ２４に記憶されている閲覧時間Ｔ１に、所定値（本実施形態では、２秒）が加算される（Ｓ２０５）。
【００６５】
ステップＳ２０５の実行後、または、測定距離が所定距離を超えている場合（Ｓ２０３：ＮＯ）、第１実施形態と同様に、全ての顔特徴を処理済みか否かが判断される（Ｓ１１３）。対象画像に顔特徴が含まれていない場合も（Ｓ１０９：ＮＯ）、全ての顔特徴を処理済みか否かが判断される（Ｓ１１３）。未処理の顔特徴が存在する場合は（Ｓ１１３：ＮＯ）、処理はステップＳ１０５に戻る。全ての顔特徴を処理済みである場合（Ｓ１１３：ＹＥＳ）、閲覧時間計算処理（図７）が終了されて、メイン処理（図３）に処理が戻る。
【００６６】
具体的には、図１に示す例において、閲覧者「ユーザＡ」、「ユーザＢ」、「ユーザＣ」のうち、「ユーザＡ」、「ユーザＢ」がディスプレイ１１から１メートルの範囲内に存在すると想定する。この場合、図７に示す閲覧時間計算処理では、第１実施形態と同様に、閲覧時間Ｔ１に２名分の所定値（２×３秒＝６秒）が加算される（Ｓ１０５〜Ｓ１１１）。さらに、「ユーザＡ」、「ユーザＢ」までの距離は所定距離（１メートル）以下であるから、閲覧時間Ｔ１に２名分の所定値（２×２秒＝４秒）が加算される（Ｓ２０１〜Ｓ２０５）。つまり、閲覧時間Ｔ１は、ステップＳ１０１で設定された最小閲覧時間（５秒）に、上記の加算時間（６秒＋４秒＝１０秒）を加算した値（１５秒）に更新される。
【００６７】
閲覧者がディスプレイ１１の近傍に位置している場合、閲覧者が意図的に表示画像を目視しやすい場所に移動しているとみなすことができる。つまり、ディスプレイ１１の近傍に位置する閲覧者は、ディスプレイ１１の表示画像に対する関心が高いと考えられる。本実施形態では、ディスプレイ１１の近傍に閲覧者が存在する場合には、閲覧時間Ｔ１をより長い時間に設定することで、閲覧者に対象画像をより長時間観賞させることができる。さらに、ディスプレイ１１の近傍に位置する閲覧者の人数に応じて、閲覧時間Ｔ１がより長い時間に設定される。これにより、ディスプレイ１１の近傍に位置する全ての閲覧者に対して、対象画像を確実に注視させることができる。
【００６８】
以上説明したように、第２実施形態に係る画像表示装置１によれば、ディスプレイ１１の近傍に閲覧者が存在する場合は、閲覧時間Ｔ１がより長い時間に設定される。つまり、ディスプレイ１１から閲覧者までの距離に応じて、閲覧時間Ｔ１が最適な長さに設定される。したがって、第１実施形態に記載の効果に加えて、ユーザに関心のある画像をより確実に注視させることができる。
【００６９】
本発明の第３実施形態に係る画像表示装置１について、図８および図９を参照して説明する。第３実施形態に係る画像表示装置１は、第１実施形態に係る画像表示装置１（図２参照）と同様の構成である。第３実施形態に係るメイン処理は、第１実施形態に係るメイン処理（図３参照）と同様であるが、閲覧時間計算処理（Ｓ７、Ｓ１５）の詳細が異なる。以下では、第１実施形態と共通の構成および処理については、第１実施形態と同一の符号を付して説明を省略し、第１実施形態と異なる点のみを説明する。
【００７０】
図８に示すように、本実施形態に係る画像表示装置１では、フラッシュメモリ２４に閲覧実績データ３００が記憶されている。閲覧実績データ３００は、画像表示装置１とは異なる他の表示端末（例えば、ＰＣなど）で作成された、他の表示端末における画像データの閲覧実績を示す。閲覧実績データ３００は、メモリカード２６から読み出されてもよいし、図示外のネットワークを介して受信してもよい。
【００７１】
本実施形態の閲覧実績データ３００は、画像データの各々について、ユーザ毎に過去に閲覧された累計時間（以下、過去閲覧時間）と、ユーザ毎に過去に閲覧された累計回数（以下、過去閲覧回数）とを示す。図８に示す例では、画像データ「Ｂｂｂ．ｊｐｇ」の閲覧実績データ３００は、「ユーザＡ」が画像データ「Ｂｂｂ．ｊｐｇ」を過去に「１回」閲覧し、且つ、その閲覧時間の累計が「３５秒」であることを示す。また、「ユーザＢ」が画像データ「Ｂｂｂ．ｊｐｇ」を過去に「３回」閲覧し、且つ、その閲覧時間の累計が「１５秒」であることを示す。
【００７２】
図９に示すように、第３実施形態に係る閲覧時間計算処理（Ｓ７、Ｓ１５）では、第１実施形態と同様に、先述のステップＳ１０１〜ステップＳ１１１と同様の処理が実行される。ステップＳ１１１の実行後、対象画像に関する閲覧実績データ３００が、フラッシュメモリ２４から読み出される（Ｓ３０１）。ステップＳ３０１で読み出された閲覧実績データ３００に基づいて、ステップＳ１０５で読み出された顔特徴に対応する閲覧者の過去閲覧時間および過去閲覧回数が特定される（Ｓ３０３）。
【００７３】
ステップＳ３０３で特定された過去閲覧時間が、所定時間（本実施形態では、３０秒）以上であるか否かが判断される（Ｓ３０５）。過去閲覧時間が所定時間未満である場合（Ｓ３０５：ＮＯ）、ステップＳ３０３で特定された過去閲覧回数が、所定回数（本実施形態では、３回）以上であるか否かが判断される（Ｓ３０７）。過去閲覧時間が所定時間以上である場合（Ｓ３０５：ＹＥＳ）、または、過去閲覧回数が所定回数以上である場合（Ｓ３０７：ＹＥＳ）、フラッシュメモリ２４に記憶されている閲覧時間Ｔ１に、所定値（本実施形態では、３秒）が加算される（Ｓ３０９）。
【００７４】
ステップＳ３０９の実行後、または、過去閲覧回数が所定回数未満である場合（Ｓ３０７：ＮＯ）、第１実施形態と同様に、全ての顔特徴を処理済みか否かが判断される（Ｓ１１３）。対象画像に顔特徴が含まれていない場合も（Ｓ１０９：ＮＯ）、全ての顔特徴を処理済みか否かが判断される（Ｓ１１３）。未処理の顔特徴が存在する場合は（Ｓ１１３：ＮＯ）、処理はステップＳ１０５に戻る。全ての顔特徴を処理済みである場合（Ｓ１１３：ＹＥＳ）、閲覧時間計算処理（図７）が終了されて、メイン処理（図３）に処理が戻る。
【００７５】
具体的には、図１に示す例において、閲覧者「ユーザＡ」、「ユーザＢ」、「ユーザＣ」のうち、「ユーザＡ」、「ユーザＢ」がディスプレイ１１から１メートルの範囲内に存在すると想定する。この場合、図９に示す閲覧時間計算処理では、第１実施形態と同様に、閲覧時間Ｔ１に２名分の所定値（２×３秒＝６秒）が加算される（Ｓ１０５〜Ｓ１１１）。さらに、図８に示す閲覧実績データ３００によれば、「ユーザＡ」の過去閲覧時間「３５秒」は所定時間（３０秒）以上であり、「ユーザＢ」の過去閲覧回数「３回」は所定回数（３回）以上である。よって、閲覧時間Ｔ１に２名分の所定値（３×２秒＝６秒）が加算される（Ｓ３０１〜Ｓ３０９）。つまり、閲覧時間Ｔ１は、ステップＳ１０１で設定された最小閲覧時間（５秒）に、上記の加算時間（６秒＋６秒＝１２秒）を加算した値（１７秒）に更新される。
【００７６】
閲覧者が過去に対象画像を閲覧した時間が長い場合、または、閲覧者が過去に対象画像を閲覧した回数が多い場合、対象画像が閲覧者のお気に入りの画像データであるとみなすことができる。本実施形態では、対象画像が閲覧者によって過去に長時間閲覧されている場合には、閲覧時間Ｔ１をより長い時間に設定することで、閲覧者に対象画像をより長時間観賞させることができる。さらに、複数の閲覧者にそれぞれ対応する閲覧実績に応じて、閲覧時間Ｔ１がより長い時間に設定される。これにより、閲覧実績が豊富な全ての閲覧者に対して、対象画像を確実に注視させることができる。
【００７７】
以上説明したように、第３実施形態に係る画像表示装置１によれば、閲覧者が過去に対象画像を閲覧した時間が長い場合、または、閲覧者が過去に対象画像を閲覧した回数が多い場合は、閲覧時間Ｔ１がより長い時間に設定される。つまり、閲覧実績データ３００が示す画像データ毎の過去閲覧時間および過去閲覧回数の少なくとも一方に応じて、閲覧時間Ｔ１が最適な長さに設定される。したがって、第１実施形態に記載の効果に加えて、ユーザに関心のある画像をより確実に注視させることができる。
【００７８】
ところで、上記実施形態において、メモリカード２６が本発明の「記憶媒体」に相当する。ディスプレイ１１が本発明の「表示部」に相当する。カメラ１３が本発明の「撮影手段」に相当する。フラッシュメモリ２４が、本発明の「閲覧時間記憶手段」および「閲覧実績記憶手段」に相当する。ＲＯＭ２２に記憶されている制御プログラムが、本発明の「画像表示プログラム」に相当する。
【００７９】
ステップＳ５１〜Ｓ５３を実行するＣＰＵ２１が、本発明の「人物特定手段」に相当する。ステップＳ１０７〜Ｓ１０９を実行するＣＰＵ２１が、本発明の「画像判断手段」に相当する。ステップＳ１１１を実行するＣＰＵ２１が、本発明の「第１閲覧時間変更手段」に相当する。ステップＳ９を実行するＣＰＵ２１が、本発明の「切替表示手段」に相当する。ステップＳ１７〜Ｓ１９を実行するＣＰＵ２１が、本発明の「注視検出手段」に相当する。ステップＳ２５〜Ｓ２７を実行するＣＰＵ２１が、本発明の「継続時間判断手段」に相当する。ステップＳ２０１を実行するＣＰＵ２１が、本発明の「距離測定手段」に相当する。ステップＳ２０３〜Ｓ２０５を実行するＣＰＵ２１が、本発明の「第２閲覧時間変更手段」に相当する。ステップＳ３０１〜Ｓ３０９を実行するＣＰＵ２１が、本発明の「第３閲覧時間変更手段」に相当する。
【００８０】
ステップＳ５１〜Ｓ５３が、本発明の「人物特定ステップ」に相当する。ステップＳ１０７〜Ｓ１０９が、本発明の「画像判断ステップ」に相当する。ステップＳ１１１が、本発明の「第１閲覧時間変更ステップ」に相当する。ステップＳ９が、本発明の「切替表示ステップ」に相当する。ステップＳ１７〜Ｓ１９が、本発明の「注視検出ステップ」に相当する。ステップＳ２５〜Ｓ２７が、本発明の「継続時間判断ステップ」に相当する。ステップＳ２０１が、本発明の「距離測定ステップ」に相当する。ステップＳ２０３〜Ｓ２０５が、本発明の「第２閲覧時間変更ステップ」に相当する。ステップＳ３０１〜Ｓ３０９が、本発明の「第３閲覧時間変更ステップ」に相当する。
【００８１】
なお、本発明は上記実施形態に限定されるものではなく、発明の要旨を変更しない範囲での変更が可能である。例えば、上記実施形態では、画像表示装置１としてデジタルフォトフレームを例示した。これに替えて、画像表示装置１は、他の電子機器（例えば、複合機やＰＣなど）が備える表示機器であってもよい。
【００８２】
また、上記実施形態では、全ての閲覧者が対象画像を閲覧時間Ｔ１以上注視した場合に（Ｓ２７：ＮＯ）、ディスプレイ１１の表示画像が切り替えられるが、ステップＳ２７の判断手法はこれに限定されない。例えば、フラッシュメモリ２４に閲覧者毎の閲覧時間Ｔ１を記憶しておき、ステップＳ２７では閲覧者毎にそれぞれ閲覧時間Ｔ１以上注視したか否かが判断されてもよい。
【００８３】
具体的には、図１に示す例では、第１実施形態の閲覧時間計算処理（Ｓ７、Ｓ１５）において、対象画像に含まれる閲覧者「ユーザＡ」、「ユーザＢ」の閲覧時間Ｔ１が「１１秒」に設定され、対象画像に含まれない閲覧者「ユーザＣ」の閲覧時間Ｔ１に「１１秒」に設定される。メイン処理（図３）では、「ユーザＡ」、「ユーザＢ」、「ユーザＣ」のそれぞれについて、対象画像が注視されているか否かが判断される（Ｓ１９）。対象画像を注視しているユーザの注視時間Ｔ２はカウントアップされ（Ｓ２５）、対象画像を注視していないユーザの注視時間Ｔ２はリセットされる（Ｓ２１）。各ユーザの注視時間Ｔ２が、それぞれ対応するユーザの閲覧時間Ｔ１以上注視したか否かが判断される（Ｓ２７）。全てのユーザについて注視時間Ｔ２が閲覧時間Ｔ１以上である場合（Ｓ２７：ＹＥＳ）、ディスプレイ１１の表示画像が切り替えられる（Ｓ９）。
【００８４】
これによれば、対象画像に含まれるユーザの閲覧時間Ｔ１がより長く設定されるため、対象画像に関心のあるユーザはその対象画像を長時間観賞することができる。一方、対象画像に含まれないユーザの閲覧時間Ｔ１は最小閲覧時間に維持されるため、対象画像に関心のないユーザはその対象画像を短時間だけ注視すればよい。したがって、対象画像に対するユーザの関心に応じて、各ユーザに最適な時間で対象画像を楽しませることができる。
【００８５】
上記変形例では、全ての閲覧者について注視時間Ｔ２が設定され、全ての閲覧者について閲覧時間Ｔ１以上注視したか否かが判断されている。これに替えて、閲覧時間計算処理（Ｓ７、Ｓ１５）で対象画像に含まれる閲覧者が検出された場合、ステップＳ２７では対象画像に含まれる閲覧者について、閲覧時間Ｔ１以上注視したか否かが判断されてもよい。
【００８６】
具体的には、図１に示す例では、閲覧者「ユーザＡ」、「ユーザＢ」、「ユーザＣ」のうち、対象画像に含まれる「ユーザＡ」、「ユーザＢ」の閲覧時間Ｔ１以上注視したか否かが判断される（Ｓ２７）。「ユーザＡ」、「ユーザＢ」について注視時間Ｔ２が閲覧時間Ｔ１以上である場合（Ｓ２７：ＹＥＳ）、ディスプレイ１１の表示画像が切り替えられる（Ｓ９）。これによれば、対象画像に関心のあるユーザがその対象画像を長時間観賞した場合には、対象画像に関心のないユーザはその対象画像を注視したか否かに関わらず、ディスプレイ１１の表示画像を切り替えることができる。
【００８７】
なお、第２実施形態または第３実施形態に係る閲覧時間計算処理（Ｓ７、Ｓ１５）においても、上記変形例と同様にして、閲覧者毎に閲覧時間Ｔ１が設定されてもよい。ステップＳ２７では、閲覧者毎に注視時間が判断され、または、対象画像に含まれる閲覧者のみについて注視時間が判断されてもよい。
【００８８】
また、上記第１〜第３実施形態に例示した技術的特徴を適宜組み合わせて画像表示装置１を構成してもよい。例えば、閲覧時間計算処理（Ｓ７、Ｓ１５）において、測定距離に基づいて閲覧時間Ｔ１が更新されたのち（Ｓ２０１〜Ｓ２０５）、さらに閲覧実績データ３００に基づいて閲覧時間Ｔ１が更新されるようにしてもよい（Ｓ３０１〜Ｓ３０９）。
【符号の説明】
【００８９】
１    画像表示装置
１１    ディスプレイ
１２    タッチパネル
１３    カメラ
２１    ＣＰＵ
２２    ＲＯＭ
２３    ＲＡＭ
２４    フラッシュメモリ
２６    メモリカード
３００    閲覧実績データ
【図１】
2011159000.tif 000003
【図２】
2011159000.tif 000004
【図３】
2011159000.tif 000005
【図４】
2011159000.tif 000006
【図５】
2011159000.tif 000007
【図６】
2011159000.tif 000008
【図７】
2011159000.tif 000009
【図８】
2011159000.tif 000010
【図９】
2011159000.tif 000011